(57)【要約】【課題】従来の接着剤等の溶剤を用いることなく、雨樋部品の隙間を完全に圧密状態で閉塞でき、簡易でありながら極めて良好な止水機能が得られる雨樋の止水構造を提供すること。【解決手段】雨樋部品１の隙間Ｓを塞ぐシール材として、吸水性ポリマーからなるシート材２を備える。このシート材２は水の浸入時に吸水性ポリマーの水の吸収と吸水性ポリマー自体の膨張によって隙間Ｓを閉塞するように構成されている。【選択図】　　　　図１
2004084302.tif 000002
【特許請求の範囲】
【請求項１】
雨樋部品の隙間を塞ぐシール材として、吸水性ポリマーからなるシート材を備え、該シート材は水の浸入時に吸水性ポリマーの水の吸収と吸水性ポリマー自体の膨張によって隙間を閉塞するように構成されていることを特徴とする雨樋の止水構造。
【請求項２】
雨樋部品は、複数の軒樋と、複数の軒樋の端部を接続する軒樋継手とを具備し、軒樋継手は軒樋の端部を内外両側から挟む内押さえと外押さえとで構成され、内押さえ及び外押さえの前端に設けた前耳係止縁と後端に設けた後耳係止縁とを、軒樋の前耳部と後耳部とに各々係止させると共に、吸水性ポリマーからなるシート材を内押さえの外面と軒樋との隙間に沿って配置してなることを特徴とする請求項１記載の雨樋の止水構造。
【発明の詳細な説明】
【０００１】
【発明の属する技術分野】
本発明は、雨樋の止水構造に関し、詳しくは例えば軒樋と軒樋継手との接続部の隙間をシールする技術に関するものである。
【０００２】
【従来の技術】
従来、図４に示すように、複数の軒樋３，３を接続するにあたっては、内押さえ５と外押さえ６とからなる軒樋継手４が用いられる。これら軒樋３と軒樋継手４との接続部をシールするために、従来は接着剤１５を内押さえ５の外面に塗布することにより、軒樋３と内押さえ５との隙間を接着剤１５にて閉塞するのが一般的であった。
【０００３】
【発明が解決しようとする課題】
ところが、従来のような接着剤１５等の溶剤を用いたシール方法では、接着剤１５の塗布、乾燥、固化等の作業に時間と手間がかかり、そのうえ、接着剤１５がはみ出すことで軒樋３が汚れたり、接着剤１５の塗布量のバラツキにより僅かな隙間から水漏れが発生するという問題もある。特に、軒樋３が樹脂製の場合には成形歪みや寸法誤差、外部からの応力の作用等によって歪みが生じ易く、接着剤１５の充填状態が損なわれ、隙間からの水漏れが生じやすいものであった。
【０００４】
本発明は、上記の従来例の問題点に鑑みて発明したものであって、その目的とするところは、従来の接着剤等の溶剤を用いることなく、雨樋部品の隙間を完全に圧密状態で閉塞でき、簡易でありながら極めて良好な止水機能が得られる雨樋の止水構造を提供することにある。
【０００５】
【課題を解決するための手段】
上記課題を解決するために本発明にあっては、雨樋部品１の隙間Ｓを塞ぐシール材として、吸水性ポリマーからなるシート材２を備え、該シート材２は水の浸入時に吸水性ポリマーの水の吸収と吸水性ポリマー自体の膨張によって隙間Ｓを閉塞するように構成されていることを特徴としており、このように構成することで、雨樋部品１の隙間Ｓに雨水が浸入すると、吸水性ポリマーの水の吸収と吸水性ポリマー自体の体積膨張によって、隙間Ｓが完全に圧密状態で閉塞された状態となり、従来の接着剤と比較して、止水にかかる時間と手間を省くことができ、簡易で極めて良好な止水機能が得られるようになる。
【０００６】
また上記雨樋部品１は、複数の軒樋３と、複数の軒樋３の端部３ａを接続する軒樋継手４とを具備し、軒樋継手４は軒樋３の端部３ａを内外両側から挟む内押さえ５と外押さえ６とで構成され、内押さえ５及び外押さえ６の前端に設けた前耳係止縁９，１０と後端に設けた後耳係止縁１１，１２とを、軒樋３の前耳部７と後耳部８とに各々係止させると共に、吸水性ポリマーからなるシート材２を内押さえ５の外面５ａと軒樋３との隙間Ｓに沿って配置してなるのが好ましく、この場合、吸水性ポリマーからなるシート材２を内押さえ５の外面５ａに貼り付けた状態で、内押さえ５と外押さえ６とを軒樋３に取り付けることで、吸水性ポリマーからなるシート材２を軒樋３と軒樋継手４との隙間Ｓに容易に配置できるようになる。
【０００７】
【発明の実施の形態】
以下、本発明を添付図面に示す実施形態に基づいて説明する。
【０００８】
本実施形態の雨樋部品１は、図１に示すように、複数の軒樋３と、複数の軒樋３の端部３ａを接続する軒樋継手４と、軒樋３と軒樋継手４との接続部の隙間Ｓを塞ぐための吸水性ポリマーからなるシート材２とで主体が構成されている。
【０００９】
本例の軒樋継手４は、軒樋３の端部３ａを内外両側から挟んで接続するための内押さえ５と外押さえ６とで構成されている。図２に示すように、内押さえ５及び外押さえ６の前部上端には、それぞれ前耳係止縁９，１０が設けられ、内押さえ５及び外押さえ６の後部壁上端には、それぞれ後耳係止縁１１，１２が設けられている。
【００１０】
図２に示す例では、内押さえ６の前耳係止縁９の上端から係止溝９ｂ付き突片９ａが突設されており、一方、外押さえ６の前耳係止縁１０は、前耳部７の前面に沿って屈曲しており、その上端に係止爪１０ａが設けられている。そして、軒樋３の前耳部７を前耳係止縁９，１０間で挟み付けた状態で係止爪１０ａを係止溝９ｂに引掛けることで、前耳係止縁９，１０同士が互いに係止されて前耳部７から外れないようになる。一方、外押さえ６の後耳係止縁１２は後耳部８の後面に沿って屈曲しており、その上部先端に係止爪１２ａが設けられている。そして、軒樋３の後耳部８を後耳係止縁１１，１２間で挟み付けた状態で、後耳係止縁１２の係止爪１２ａを後耳係止縁１１の上端１１ａに引掛けることで、後耳係止縁１１，１２同士が互いに係止されて後耳部８から外れないようになる。尚図２中の１４は内押さえ６の補強片である。
【００１１】
上記内押さえ５の外面５ａには、図１に示すように、吸水性ポリマーからなるシート材２が貼り付けられる。ここでは、シート材２は帯状に形成され、その一端が内押さえ５の前耳係止縁９の下端付近まで達し、他端が後耳係止縁１１の下端付近まで達している。この吸水性ポリマーからなるシート材２は、水の浸入時に吸水性ポリマーの水の吸収と吸水性ポリマー自体の膨張によって、軒樋３と軒樋継手４との隙間（本例では軒樋３と内押さえ５との隙間Ｓ）を塞ぐためのものである。
【００１２】
吸水性ポリマーとしては、自然状態で弾性を有する固体に高吸水性ポリマーを添加したものが使用される。高吸水性ポリマーの例としては、例えばデンプン−アクリロニトリルグラフト重合体加水分解物、デンプン−アクリル酸グラフト重合体などのデンプン系高吸水性ポリマー、セルロース−アクリロニトリルグラフト重合体、セルロース−スチレンスルホン酸グラフト共重合体などのセルロース系高吸水性ポリマー、多糖類系高吸水性ポリマー、コラーゲン等のたんぱく質系高吸水性ポリマー、ポリビニルアルコール架橋重合体などのポリビニルアルコール系高吸水性ポリマー、ポリアクリル酸ナトリウム架橋体、アクリル酸ナトリウム−ビニルアルコール共重合体などのアクリル系高吸水性ポリマー、無水マレイン酸系高吸水性ポリマー、ビニルピロリドン系高吸水性ポリマー、ポリエチレングリコール・ジアクリレート架橋重合体などのポリエーテル系高吸水性ポリマー等を挙げることができるが、もちろんこれらに限定されるものではない。
【００１３】
ここで、高吸水性ポリマーは一般に自重の５００倍から１０００倍の吸水力があり、水に溶解せず、加圧しても吸水した水を離脱しない特徴から、従来は紙おむつにも使用されているが、本発明者らは、吸水性ポリマーが水を吸収して膨張すること及びこの膨張が止水に極めて有効であることに着目し、軒樋３のシール材として用いた場合は良好な止水効果が得られることを見出すに至ったものである。また吸水性ポリマーとして吸水時に５日で体積が２倍になるものがあるが、軒樋３では吸水時にすぐに体積が増えないと雨漏れが発生することから、短時間で体積が２倍になるような、吸水速度の高い高吸水性ポリマーを用いるのが望ましい。
【００１４】
次に、複数の軒樋３を内押さえ５と外押さえ６とを用いて接続するにあたっては、先ず外押さえ６を軒樋３の外側から嵌め込み、外押さえ６の前耳係止縁１０と後耳係止縁１２を軒樋３の前耳部７と後耳部８に各々被せる（図１の状態）。この状態で、軒樋３の内側に、予め吸水性ポリマーからなるシート材２を貼り付けた内押さえ５を押し込む。このとき内押さえ５の前耳係止縁９と後耳係止縁１１とが外押さえ６の前耳係止縁１０と後耳係止縁１２とにそれぞれパッチン方式で係止する。つまり、図２に示すように、外押さえ６の係止爪１０ａが内押さえ５の係止溝９ｂに引掛かることで、前耳係止縁９，１０同士が互いに係止されて前耳部７から外れなくなり、一方、外押さえ６の係止爪１２ａが内押さえ５の後耳係止縁１１の上端１１ａに引掛かることで、後耳係止縁１１，１２同士が互いに係止されて後耳部８から外れないようになる。これにより、図３（ａ）に示すように、吸水性ポリマーからなるシート材２が内押さえ５の外面５ａと軒樋３との隙間Ｓに沿って配置された状態となる。
【００１５】
しかして、雨水が隙間Ｓに浸入すると、高吸水性ポリマーの水の吸収と吸水性ポリマー自体の体積膨張によって、図３（ｂ）に示すように、隙間Ｓが完全に圧密状態で閉塞された状態となる。このとき仮りに僅かな隙間Ｓがあっても、浸入水が吸水性ポリマーに取り込まれて吸水性ポリマー自体の体積膨張が起こるため、より強固な樹脂の充填状態が得られるものであり、しかもこの強固な充填状態によって、外部の応力に対しても大きな抵抗力が得られ、軒樋３と軒樋継手４との接続部に歪みが生じ難く、良好な止水機能を長期に亘って持続できる。また吸水性ポリマーとして短時間で体積が２倍以上になるような材料を使うことで、浸入した多量の雨水を、瞬間的に阻止することが可能となり、極めて良好な止水機能が得られ、止水機能が向上する。
【００１６】
しかも、内押さえ５及び外押さえ６を軒樋３に嵌め込んでワンタッチで係止できるので、吸水性ポリマーからなるシート材２を軒樋３と軒樋継手４との隙間Ｓに容易に配置できるようになる。従って、作業者の施工技術如何に関わらず、簡単且つ確実に止水することができ、そのうえ従来の接着剤を塗布する場合と比較して、止水にかかる時間と手間を省くことができると共に、接着剤を用いないため接着剤の塗布のバラツキ等による水漏れが発生することもなく、接着剤がはみ出して軒樋３を汚すこともないので、外観が損なわれることもない。
【００１７】
【発明の効果】
上述のように請求項１記載の発明にあっては、雨樋部品の隙間を塞ぐシール材として、吸水性ポリマーからなるシート材を備え、該シート材は水の浸入時に吸水性ポリマーの水の吸収と吸水性ポリマー自体の膨張によって隙間を閉塞するように構成されているので、雨樋部品の隙間に雨水が浸入すると、吸水性ポリマーの水の吸収と吸水性ポリマー自体の体積膨張によって、隙間が完全に圧密状態で閉塞された状態となる。従って、従来の接着剤を塗布する場合と比較して、止水にかかる時間と手間を省くことができると共に、接着剤を用いないため接着剤の塗布のバラツキ等による水漏れが発生することがなく、接着剤がはみ出して雨樋部品を汚すこともなく、簡易でありながら極めて良好な止水機能が得られるものである。
【００１８】
また請求項２記載の発明は、請求項１記載の効果に加えて、雨樋部品は、複数の軒樋と、複数の軒樋の端部を接続する軒樋継手とを具備し、軒樋継手は軒樋の端部を内外両側から挟む内押さえと外押さえとで構成され、内押さえ及び外押さえの前端に設けた前耳係止縁と後端に設けた後耳係止縁とを、軒樋の前耳部と後耳部とに各々係止させると共に、吸水性ポリマーからなるシート材を内押さえの外面と軒樋との隙間に沿って配置してなるので、吸水性ポリマーを内押さえの外面（或いは軒樋の内面）に貼り付けた状態で、内押さえと外押さえとで軒樋の端部を挟んで、内押さえ及び外押さえを軒樋に取り付けることで、吸水性ポリマーからなるシート材を軒樋と軒樋継手との隙間に容易に配置できるものである。
【図面の簡単な説明】
【図１】本発明の一実施形態の雨樋部品を吸水性ポリマーからなるシート材でシールする場合を説明する斜視図である。
【図２】同上の雨樋部品の断面図である。
【図３】図２のＡ部の拡大断面図であり、（ａ）は水が浸入する前の状態、（ｂ）は水が浸入したときの状態を各々示している。
【図４】従来例の雨樋部品を接着剤でシールする場合を説明する斜視図である。
【符号の説明】
１　雨樋部品
２　吸水性ポリマーからなるシート材
３　軒樋
３ａ　端部
４　軒樋継手
５　内押さえ
５ａ　外面
６　外押さえ
７　前耳部
８　後耳部
９，１０　前耳係止縁
１１，１２　後耳係止縁
Ｓ　隙間
【図１】
2004084302.tif 000003
【図２】
2004084302.tif 000004
【図３】
2004084302.tif 000005
【図４】
2004084302.tif 000006